(57)【要約】【課題】  加入者情報を管理する管理装置の収容容量に依存しないで、加入者がサービスを享受できるようにする。【解決手段】  最大加入者数を受け付けたＶＬＲ１２１を持つ交換機１１１のエリア１３１に、別の交換機１１２のエリア１３２から移動機１５０が移動してきた場合、交換機１１１は、ＶＬＲ１２１に移動機１５０の加入者サービス情報を登録できなくても、他の交換機１１３のＶＬＲ１２３に移動機１５０の加入者サービス情報を登録する。移動機１５０から発信信号が送信されてきた場合、交換機１１１は、ＶＬＲ１２３から移動機１５０の加入者サービス情報を取得して発信接続処理を行う。移動機１５０に対する着信信号が送信されてきた場合も、交換機１１１は、ＶＬＲ１２３から移動機１５０の加入者サービス情報を取得して着信処理を行う。【選択図】          図６
2006005966.tif 000002
【特許請求の範囲】
【請求項１】
交換機であって、
移動機からの位置登録信号を受信する手段と、
前記位置登録信号を受信した際に、加入者情報を管理する自交換機用の管理装置に新たに加入者サービス情報を登録できない場合には、前記位置登録信号を送信した移動機の加入者サービス情報を、加入者情報を管理する他の交換機用の管理装置に登録する手段と
を備えたことを特徴とする交換機。
【請求項２】
請求項１に記載の交換機であって、前記位置登録信号を受信した際に、前記移動機の加入者サービス情報を、前記移動機が以前在圏していた交換機から取得する手段をさらに備えたことを特徴とする交換機。
【請求項３】
交換機であって、
移動機からの発信信号を受信する手段と、
前記発信信号を受信した際に、前記発信信号を送信した移動機の加入者サービス情報が、加入者情報を管理する自交換機用の管理装置に登録されていない場合には、前記発信信号を送信した移動機の加入者サービス情報を、加入者情報を管理する他の交換機用の管理装置から取得する手段と
を備えたことを特徴とする交換機。
【請求項４】
交換機であって、
移動機に対する着信信号を受信する手段と、
前記着信信号を受信した際に、前記着信信号の対象となる移動機の加入者サービス情報が、加入者情報を管理する自交換機用の管理装置に登録されていない場合には、前記着信信号の対象となる移動機の加入者サービス情報を、加入者情報を管理する他の交換機用の管理装置から取得する手段と
を備えたことを特徴とする交換機。
【請求項５】
請求項１ないし４のいずれかに記載の交換機であって、前記他の交換機は、前記移動機が以前在圏していた交換機であることを特徴とする交換機。
【請求項６】
交換機であって、
他の交換機からの要請に応じて、加入者情報を管理する自交換機用の管理装置に加入者サービス情報を登録する手段と、
前記他の交換機からの要請に応じて、前記管理装置に登録された前記加入者サービス情報を前記他の交換機に送信する手段と
を備えたことを特徴とする交換機。
【請求項７】
請求項１ないし６のいずれかに記載の交換機であって、前記管理装置はＶＬＲであることを特徴とする交換機。
【請求項８】
加入者サービス情報登録方法であって、
第１の交換機において、移動機からの位置登録信号を受信するステップと、
前記第１の交換機において、前記位置登録信号を受信した際に、加入者情報を管理する前記第１の交換機用の管理装置に新たに加入者サービス情報を登録できない場合には、前記位置登録信号を送信した移動機の加入者サービス情報を、加入者情報を管理する第２の交換機用の管理装置に登録するステップと
を備えることを特徴とする加入者サービス情報登録方法。
【請求項９】
加入者サービス情報取得方法であって、
第１の交換機において、移動機からの発信信号を受信するステップと、
前記第１の交換機において、前記発信信号を受信した際に、前記発信信号を送信した移動機の加入者サービス情報が、加入者情報を管理する前記第１の交換機用の管理装置に登録されていない場合には、前記発信信号を送信した移動機の加入者サービス情報を、加入者情報を管理する第２の交換機用の管理装置から取得するステップと
を備えることを特徴とする加入者サービス情報取得方法。
【請求項１０】
加入者サービス情報取得方法であって、
第１の交換機において、移動機に対する着信信号を受信するステップと、
前記第１の交換機において、前記着信信号を受信した際に、前記着信信号の対象となる移動機の加入者サービス情報が、加入者情報を管理する前記第１の交換機用の管理装置に登録されていない場合には、前記着信信号の対象となる移動機の加入者サービス情報を、加入者情報を管理する第２の交換機用の管理装置から取得するステップと
を備えることを特徴とする加入者サービス情報取得方法。
【請求項１１】
加入者サービス情報送信方法であって、
第１の交換機において、第２の交換機からの要請に応じて、加入者サービス情報を、加入者情報を管理する前記第１の交換機用の管理装置に登録するステップと、
前記第１の交換機において、前記第２の交換機からの要請に応じて、前記管理装置に登録された前記加入者サービス情報を前記第２の交換機に送信するステップと
を備えることを特徴とする加入者サービス情報送信方法。
【発明の詳細な説明】
【技術分野】
【０００１】
本発明は、交換機、加入者位置情報登録方法、加入者サービス情報取得方法、加入者サービス情報登録方法および加入者サービス情報送信方法に関する。
【背景技術】
【０００２】
移動通信のモビリティ制御方式として、２方式存在する。加入者（利用者）の位置情報およびサービス情報を交換機と物理的に分離された装置で管理するＨＬＲ（Home Location Register）方式と加入者位置情報およびサービス情報を交換機内のＶＬＲ（Visited Location Register）で管理するＶＬＲ方式がある。
【発明の開示】
【発明が解決しようとする課題】
【０００３】
ＶＬＲ方式の場合、収容数が最大収容数に達しており、位置登録ができないと、利用者の発信および着信が許容されないことになる。
【０００４】
ＶＬＲ方式の位置登録機能、発信機能および着信機能の接続処理は、移動機が該当交換機配下に移動してきた場合に、在圏位置が変更になったことを認識して、交換機に位置登録信号を送信する。交換機は移動機が以前在圏していた交換機から（ただし、１回目はＨＬＲから）移動機の加入者サービス情報を取得する。また、ＨＬＲに着信時に用いる移動機の位置情報を登録する。移動機が発信する場合、交換機はＶＬＲの加入者サービス情報を用いて発信処理を行う。着信する場合、ＨＬＲの（加入者）位置情報を用いて着信処理を行う。
【０００５】
図１は、従来の移動通信システムの構成例、および位置登録要求があった場合の処理例を示す図である。図１において、交換機１１、１２はそれぞれＶＬＲ２１、２２を備える。
【０００６】
最大加入者数を受け付けたＶＬＲ２１を持つ交換機１１の（サービス）エリア３１に、別の交換機１２のエリア３２から移動機５０が移動してきた場合、交換機１１は移動機５０からの位置登録（要求）信号を受信して（図１のＳ１１）、移動機５０が以前在圏していた交換機１２から、移動機５０の加入者サービス情報を取得する（Ｓ１２）。しかし、ＶＬＲ２１には新たに加入者サービス情報を登録できないため（Ｓ１３）、位置登録処理が失敗して（Ｓ１４）、ＨＬＲ４０への加入者位置情報更新（登録）も行われない。このような状態で加入者が発信を行っても、交換機１１はＶＬＲ２１上に加入者のサービス情報がないため、発信処理は正常に行われない。また、ＨＬＲ４０の加入者位置情報も更新されていないため、着信処理も失敗する。
【０００７】
ＶＬＲに登録できる加入者数（加入者情報数）は装置のハードリソースに依存する。また、ハードリソースは固定割当てであるため、動的に変化する加入者（利用者）の情報管理に柔軟に対応できない。
【０００８】
そこで、本発明の目的は、加入者情報を管理する管理装置の収容容量に依存しないで、加入者がサービスを享受できるようにすることである。
【課題を解決するための手段】
【０００９】
上記目的を達成するために、本発明の第１の側面において、交換機は、移動機からの位置登録信号を受信する手段と、前記位置登録信号を受信した際に、加入者情報を管理する自交換機用の第１の管理装置に新たに加入者サービス情報を登録できない場合であっても、前記位置登録信号を送信した移動機の加入者位置情報を、加入者情報を管理する第２の管理装置に登録する手段とを備える。
【００１０】
本発明の第２の側面において、交換機は、移動機からの発信信号を受信する手段と、前記発信信号を受信した際に、前記発信信号を送信した移動機の加入者サービス情報が、加入者情報を管理する自交換機用の第１の管理装置に登録されていない場合には、前記発信信号を送信した移動機の加入者サービス情報を、加入者情報を管理する第２の管理装置から取得する手段とを備える。
【００１１】
本発明の第３の側面において、交換機は、移動機に対する着信信号を受信する手段と、前記着信信号を受信した際に、前記着信信号の対象となる移動機の加入者サービス情報が、加入者情報を管理する自交換機用の第１の管理装置に登録されていない場合には、前記着信信号の対象となる移動機の加入者サービス情報を、加入者情報を管理する第２の管理装置から取得する手段とを備える。
【００１２】
ここで、前記第１の管理装置はＶＬＲであるものとすることができる。
【００１３】
ここで、前記第２の管理装置はＨＬＲであるものとすることができる。
【００１４】
本発明の第４の側面において、交換機は、移動機からの位置登録信号を受信する手段と、前記位置登録信号を受信した際に、加入者情報を管理する自交換機用の管理装置に新たに加入者サービス情報を登録できない場合には、前記位置登録信号を送信した移動機の加入者サービス情報を、加入者情報を管理する他の交換機用の管理装置に登録する手段とを備える。
【００１５】
本発明の第５の側面において、交換機は、移動機からの発信信号を受信する手段と、前記発信信号を受信した際に、前記発信信号を送信した移動機の加入者サービス情報が、加入者情報を管理する自交換機用の管理装置に登録されていない場合には、前記発信信号を送信した移動機の加入者サービス情報を、加入者情報を管理する他の交換機用の管理装置から取得する手段とを備える。
【００１６】
本発明の第６の側面において、交換機は、移動機に対する着信信号を受信する手段と、前記着信信号を受信した際に、前記着信信号の対象となる移動機の加入者サービス情報が、加入者情報を管理する自交換機用の管理装置に登録されていない場合には、前記着信信号の対象となる移動機の加入者サービス情報を、加入者情報を管理する他の交換機用の管理装置から取得する手段とを備える。
【００１７】
本発明の第７の側面において、交換機は、他の交換機からの要請に応じて、加入者情報を管理する自交換機用の管理装置に加入者サービス情報を登録する手段と、前記他の交換機からの要請に応じて、前記管理装置に登録された前記加入者サービス情報を前記他の交換機に送信する手段とを備える。
【００１８】
ここで、前記管理装置はＶＬＲであるものとすることができる。
【００１９】
本発明の第８の側面において、交換機は、移動機からの位置登録信号を受信する手段と、前記位置登録信号を受信した際に、加入者情報を管理する自交換機用の第１の管理装置に新たに加入者サービス情報を登録できない場合、自交換機用の第１の管理装置に現在登録されている加入者サービス情報の１つを削除し、前記位置登録信号を送信した移動機の加入者サービス情報を自交換機用の第１の管理装置に登録する手段とを備える。
【００２０】
ここで、前記交換機は、移動機の加入者位置情報を、加入者情報を管理する第２の管理装置に登録する手段と、前記第２の管理装置から、移動機の加入者サービス情報を受信する手段とをさらに備え、前記交換機は、前記位置登録信号を受信した際に、自交換機用の第１の管理装置に新たに加入者サービス情報を登録できない場合であっても、前記位置登録信号を送信した移動機の加入者位置情報を前記第２の管理装置に登録し、前記第２の管理装置から、前記位置登録信号を送信した移動機の加入者サービス情報を受信し、自交換機用の第１の管理装置に現在登録されている加入者サービス情報の１つを削除し、前記位置登録信号を送信した移動機の加入者サービス情報を自交換機用の第１の管理装置に登録するものとすることができる。
【００２１】
ここで、前記交換機は、移動機の加入者位置情報を、加入者情報を管理する第２の管理装置に登録する手段をさらに備え、前記交換機は、自交換機用の第１の管理装置に現在登録されている加入者サービス情報の１つを削除する際に、当該削除する加入者サービス情報に係る移動機の加入者位置情報については、自交換機用の第１の管理装置から削除せず、その後、当該移動機から位置登録信号を受信した際には、自交換機用の第１の管理装置に登録されている当該移動機の加入者位置情報を、前記第２の管理装置に登録するものとすることができる。
【００２２】
ここで、前記交換機は、移動機からの発信信号を受信する手段と、移動機の加入者サービス情報を、加入者情報を管理する第２の管理装置から取得する手段とをさらに備え、前記交換機は、自交換機用の第１の管理装置に現在登録されている加入者サービス情報の１つを削除した後に、当該削除した加入者サービス情報に係る移動機から発信信号を受信した際には、当該移動機の加入者サービス情報を前記第２の管理装置から取得し、当該取得した加入者サービス情報を自交換機用の第１の管理装置に新たに登録できない場合、自交換機用の第１の管理装置に現在登録されている加入者サービス情報の１つを削除し、前記取得した加入者サービス情報を自交換機用の第１の管理装置に登録するものとすることができる。
【００２３】
ここで、前記交換機は、移動機に対する着信信号を受信する手段と、移動機の加入者サービス情報を、加入者情報を管理する第２の管理装置から取得する手段とをさらに備え、前記交換機は、自交換機用の第１の管理装置に現在登録されている加入者サービス情報の１つを削除した後に、当該削除した加入者サービス情報に係る移動機に対する着信信号を受信した際には、当該移動機の加入者サービス情報を前記第２の管理装置から取得し、当該取得した加入者サービス情報を自交換機用の第１の管理装置に新たに登録できない場合、自交換機用の第１の管理装置に現在登録されている加入者サービス情報の１つを削除し、前記取得した加入者サービス情報を自交換機用の第１の管理装置に登録するものとすることができる。
【００２４】
ここで、前記第２の管理装置はＨＬＲであるものとすることができる。
【００２５】
ここで、前記第１の管理装置はＶＬＲであるものとすることができる。
【００２６】
ここで、前記交換機は、前記加入者サービス情報の削除の対象となる移動機を、移動機の発信、着信、位置登録、および電源の状態のうち少なくとも１つを考慮して選択するものとすることができる。
【００２７】
ここで、前記交換機は、前記加入者サービス情報の削除の対象となる移動機として、自交換機のエリアで最も長く発信および着信のいずれも行っていない移動機を選択するものとすることができる。
【００２８】
ここで、前記交換機は、前記加入者サービス情報の削除の対象となる移動機として、自交換機のエリアで一定期間発信、着信および位置登録のいずれも行っていない移動機、または電源が切られている状態の移動機を優先的に選択するものとすることができる。
【００２９】
ここで、前記交換機は、前記加入者サービス情報の削除の対象となる移動機を、移動機の通信状態を考慮して選択するものとすることができる。
【００３０】
ここで、前記交換機は、加入者サービス情報を登録する際に、当該加入者サービス情報を、第１種の加入者サービス情報として、または第２種の加入者サービス情報として登録し、前記削除の対象となる加入者サービス情報を、前記第１種の加入者サービス情報の中から選択するものとすることができる。
【００３１】
本発明の第９の側面において、加入者位置情報登録方法は、交換機において、移動機からの位置登録信号を受信するステップと、前記交換機において、前記位置登録信号を受信した際に、加入者情報を管理する前記交換機用の第１の管理装置に新たに加入者サービス情報を登録できない場合であっても、前記位置登録信号を送信した移動機の加入者位置情報を、加入者情報を管理する第２の管理装置に登録するステップとを備える。
【００３２】
本発明の第１０の側面において、加入者サービス情報取得方法は、交換機において、移動機からの発信信号を受信するステップと、前記交換機において、前記発信信号を受信した際に、前記発信信号を送信した移動機の加入者サービス情報が、加入者情報を管理する前記交換機用の第１の管理装置に登録されていない場合には、前記発信信号を送信した移動機の加入者サービス情報を、加入者情報を管理する第２の管理装置から取得するステップとを備える。
【００３３】
本発明の第１１の側面において、加入者サービス情報取得方法は、交換機において、移動機に対する着信信号を受信するステップと、前記交換機において、前記着信信号を受信した際に、前記着信信号の対象となる移動機の加入者サービス情報が、加入者情報を管理する前記交換機用の第１の管理装置に登録されていない場合には、前記着信信号の対象となる移動機の加入者サービス情報を、加入者情報を管理する第２の管理装置から取得するステップとを備える。
【００３４】
本発明の第１２の側面において、加入者サービス情報登録方法は、第１の交換機において、移動機からの位置登録信号を受信するステップと、前記第１の交換機において、前記位置登録信号を受信した際に、加入者情報を管理する前記第１の交換機用の管理装置に新たに加入者サービス情報を登録できない場合には、前記位置登録信号を送信した移動機の加入者サービス情報を、加入者情報を管理する第２の交換機用の管理装置に登録するステップとを備える。
【００３５】
本発明の第１３の側面において、加入者サービス情報取得方法は、第１の交換機において、移動機からの発信信号を受信するステップと、前記第１の交換機において、前記発信信号を受信した際に、前記発信信号を送信した移動機の加入者サービス情報が、加入者情報を管理する前記第１の交換機用の管理装置に登録されていない場合には、前記発信信号を送信した移動機の加入者サービス情報を、加入者情報を管理する第２の交換機用の管理装置から取得するステップとを備える。
【００３６】
本発明の第１４の側面において、加入者サービス情報取得方法は、第１の交換機において、移動機に対する着信信号を受信するステップと、前記第１の交換機において、前記着信信号を受信した際に、前記着信信号の対象となる移動機の加入者サービス情報が、加入者情報を管理する前記第１の交換機用の管理装置に登録されていない場合には、前記着信信号の対象となる移動機の加入者サービス情報を、加入者情報を管理する第２の交換機用の管理装置から取得するステップとを備える。
【００３７】
本発明の第１５の側面において、加入者サービス情報送信方法は、第１の交換機において、第２の交換機からの要請に応じて、加入者サービス情報を、加入者情報を管理する前記第１の交換機用の管理装置に登録するステップと、前記第１の交換機において、前記第２の交換機からの要請に応じて、前記管理装置に登録された前記加入者サービス情報を前記第２の交換機に送信するステップとを備える。
【００３８】
本発明の第１６の側面において、加入者サービス情報登録方法は、交換機において、移動機からの位置登録信号を受信するステップと、前記交換機において、前記位置登録信号を受信した際に、加入者情報を管理する自交換機用の第１の管理装置に新たに加入者サービス情報を登録できない場合、自交換機用の第１の管理装置に現在登録されている加入者サービス情報の１つを削除し、前記位置登録信号を送信した移動機の加入者サービス情報を自交換機用の第１の管理装置に登録するステップとを備える。
【００３９】
以上の構成によれば、加入者情報を管理する管理装置の収容容量に依存しないで、加入者がサービスを享受することができる。
【発明の効果】
【００４０】
本発明によれば、加入者情報を管理する管理装置の収容容量に依存しないで、加入者がサービスを享受することができる。すなわち、方式的に最大収容加入者数を超えた加入者の位置登録、発信および着信処理を許容可能とし、ＶＬＲメモリの有効活用を行うことで、より快適な通信環境を加入者に提供することができる。
【発明を実施するための最良の形態】
【００４１】
以下、図面を参照しつつ本発明の実施の形態について詳しく説明する。
【００４２】
（第１実施形態）
図２は、本発明の第１実施形態における移動通信システムの構成例、および位置登録要求があった場合の処理例を示す図である。図２において、交換機１１１、１１２はそれぞれＶＬＲ１２１、１２２を備える。ＶＬＲ１２１、１２２は、交換機１１１、１１２の内部に設けてもよいし、外部に設けてもよい。ＶＬＲ１２１、１２２は、加入者情報の管理を行う各交換機用の管理装置であり、加入者サービス情報、加入者位置情報等の加入者情報を管理する。ＨＬＲ１４０は、交換機に依存しない、加入者情報を管理する管理装置である。
【００４３】
図３は、交換機の構成例を示す図である。交換機１１１は、各種の制御を行う制御部１９１、各種の処理手順、データ等を記憶する記憶部１９２、および通信部１９３を備える。上述のように、ＶＬＲ１２１は、交換機１１１の内部に設けてもよいし、外部に設けてもよい。制御部１９１は、通信部１９３および他の交換機、基地局等を介して、他の交換機、移動機、ＨＬＲ、ＶＬＲ等と通信を行う。ＶＬＲ１２１は、加入者情報を格納する加入者管理メモリ１８０を備える。他の交換機（交換機１１２など）についても、交換機１１１と同様の構成をとることができる。
【００４４】
図２に戻り、最大加入者数を受け付けたＶＬＲ１２１を持つ交換機１１１のエリア１３１に、別の交換機１１２のエリア１３２から移動機１５０が移動してきた場合、交換機１１１は移動機１５０からの位置登録信号を受信して（図２のＳ２１）、移動機１５０が以前在圏していた交換機１１２から、移動機１５０の加入者サービス情報を取得する（Ｓ２２）。ここで、ＶＬＲ１２１には新たに加入者サービス情報を登録できない（Ｓ２３）。ただし、交換機１１１は、登録できる場合と同様に、ＨＬＲ１４０に移動機１５０の加入者位置情報を登録し（Ｓ２４）、位置登録処理を正常終了させる（Ｓ２５）。交換機１１１は、ＶＬＲ１２１に加入者サービス情報を登録していない移動機として、移動機１５０の情報を記憶部１９２またはＶＬＲ１２１に記憶しておくことができる。これにより、交換機１１１は、その後、移動機１５０から発信があったり、移動機１５０に対して着信があった場合に、移動機１５０の加入者サービス情報がＶＬＲ１２１に登録されていないことがわかる。
【００４５】
図４は、本実施形態における発信要求があった場合の処理例を示す図である。
【００４６】
その後、移動機１５０から発信信号が送信されてきた場合（図４のＳ３１）、交換機１１１は、ＶＬＲ１２１には移動機１５０の加入者サービス情報がないため、ＨＬＲ１４０から移動機１５０の加入者サービス情報を取得して（Ｓ３２）、正常に発信接続処理を行う（Ｓ３３）。
【００４７】
図５は、本実施形態における着信要求があった場合の処理例を示す図である。
【００４８】
また、移動機１５０に着信があった場合も、ＨＬＲ１４０において、移動機１５０の加入者位置情報は正しく更新されているため、正常に着信処理を行うことができる。交換機１１１は、移動機１５０に対する着信信号が送信されてきた場合（図５のＳ４１）、ＨＬＲ１４０から移動機１５０の加入者サービス情報を取得して（Ｓ４２）、着信処理を行う（Ｓ４３）。
【００４９】
（第２実施形態）
自交換機のＶＬＲに加入者サービス情報を登録できない場合に、加入者サービス情報をＨＬＲ１４０から取得するようにするのではなく、他の交換機のＶＬＲに登録するようにすることも考えられる。「他の交換機」としては、隣接する交換機、移動機が以前在圏していた交換機、容量の大きいＶＬＲを有する交換機等、種々のものが考えられる。また、交換機ごとに「他の交換機」の第１候補、第２候補等を決めておいてもよい。自交換機が他の交換機に加入者サービス情報の登録を要請すると、他の交換機は加入者サービス情報を登録する。各交換機は、移動機の加入者サービス情報を自ＶＬＲに登録できず、他のＶＬＲに登録した場合には、その移動機の加入者サービス情報をどのＶＬＲに登録したかについての情報を記憶するようにする。これにより、交換機は、その後、その移動機から発信があったり、その移動機に対して着信があった場合に、その加入者サービス情報が登録されているＶＬＲを知ることができる。
【００５０】
図６は、本発明の第２実施形態における位置登録要求があった場合の処理例を示す図である。最大加入者数を受け付けたＶＬＲ１２１を持つ交換機１１１のエリア１３１に、別の交換機１１２のエリア１３２から移動機１５０が移動してきた場合、交換機１１１は移動機１５０からの位置登録信号を受信して（図６のＳ５１）、移動機１５０が以前在圏していた交換機１１２から、移動機１５０の加入者サービス情報を取得する（Ｓ５２）。ここで、ＶＬＲ１２１には新たに加入者サービス情報を登録できない（Ｓ５３）。ただし、交換機１１１は、登録できる場合と同様に、ＨＬＲ１４０に移動機１５０の加入者位置情報を登録し（Ｓ５４）、さらに、他の交換機のＶＬＲ（ここでは交換機１１３のＶＬＲ１２３）に移動機１５０の加入者サービス情報を登録し（Ｓ５５）、位置登録処理を正常終了させる（Ｓ５６）。
【００５１】
図７は、本実施形態における発信要求があった場合の処理例を示す図である。
【００５２】
他のＶＬＲに登録した後、移動機から発信信号が送信されてきた場合（図７のＳ６１）、交換機は、当該他のＶＬＲから移動機の加入者サービス情報を取得して（Ｓ６２）、発信接続処理を行う（Ｓ６３）。自交換機が他の交換機に加入者サービス情報の送信を要請すると、他の交換機は加入者サービス情報を自交換機に送信する。
【００５３】
図８は、本実施形態における着信要求があった場合の処理例を示す図である。
【００５４】
また、他のＶＬＲに登録した後、移動機に対する着信信号が送信されてきた場合（図８のＳ７１）、交換機は、他の交換機から移動機の加入者サービス情報を取得して（Ｓ７２）、着信処理を行う（Ｓ７３）。自交換機が他の交換機に加入者サービス情報の送信を要請すると、他の交換機は加入者サービス情報を自交換機に送信する。
【００５５】
（第３実施形態）
自交換機のＶＬＲに加入者サービス情報を登録できない場合に、加入者サービス情報をＨＬＲ１４０から取得するようにしたり、他の交換機のＶＬＲに登録するようにしたりするのではなく、自交換機のＶＬＲに現在登録されている加入者サービス情報の１つを削除して、位置登録信号を送信した移動機の加入者サービス情報を自交換機のＶＬＲに登録するようにすることも考えられる。
【００５６】
図９は、本発明の第３実施形態における位置登録要求があった場合の処理例を示す図である。最大加入者数を受け付けたＶＬＲ１２１を持つ交換機１１１のエリア１３１に、別の交換機１１２のエリア１３２から移動機１５０が移動してきた場合、交換機１１１は移動機１５０からの位置登録信号を受信して（図９のＳ８１）、移動機１５０が以前在圏していた交換機１１２から、移動機１５０の加入者サービス情報を取得する（Ｓ８２）。ここで、ＶＬＲ１２１には新たに加入者サービス情報を登録できないが、ＶＬＲ１２１に現在登録されている加入者サービス情報の１つ（ここでは、移動機１５１の加入者サービス情報とする）を削除して、移動機１５０の加入者サービス情報をＶＬＲ１２１に登録する（Ｓ８３）。そして、交換機１１１は、ＨＬＲ１４０に移動機１５０の加入者位置情報を登録し（Ｓ８４）、位置登録処理を正常終了させる（Ｓ８５）。
【００５７】
ここで、自交換機のＶＬＲに現在登録されている加入者サービス情報の１つを削除する際に、当該削除する加入者サービス情報に係る移動機の加入者位置情報については、自交換機のＶＬＲから削除しないようにすることができる。
【００５８】
図１０は、本実施形態における位置登録要求があった場合の処理例を示す図である。
【００５９】
加入者サービス情報を削除された移動機から位置登録信号を受信した場合（図１０のＳ９１）、交換機は、自交換機のＶＬＲに登録されている当該移動機の加入者位置情報を取得し（Ｓ９２）、ＨＬＲ１４０に登録するようにすることができる（Ｓ９３）。そして、位置登録処理を正常終了させる（Ｓ９４）。
【００６０】
図１１は、本実施形態における発信要求があった場合の処理例を示す図である。
【００６１】
また、加入者サービス情報を削除された移動機から発信信号を受信した場合（図１１のＳ１０１）、交換機は、当該移動機の加入者サービス情報をＨＬＲ１４０から取得し（Ｓ１０２）、当該取得した加入者サービス情報を自交換機のＶＬＲに新たに登録できない場合、自交換機のＶＬＲに現在登録されている加入者サービス情報の１つを削除し、その取得した加入者サービス情報を自交換機のＶＬＲに登録するようにすることができる（Ｓ１０３）。そして、発信接続処理を行う（Ｓ１０４）。
【００６２】
図１２は、本実施形態における着信要求があった場合の処理例を示す図である。
【００６３】
また、加入者サービス情報を削除された移動機に対する着信信号を受信した場合（図１２のＳ１２１）、交換機は、当該移動機の加入者サービス情報をＨＬＲ１４０から取得し（Ｓ１２２）、当該取得した加入者サービス情報を自交換機のＶＬＲに新たに登録できない場合、自交換機のＶＬＲに現在登録されている加入者サービス情報の１つを削除し、その取得した加入者サービス情報を自交換機のＶＬＲに登録するようにすることができる（Ｓ１２３）。そして、着信処理を行う（Ｓ１２４）。
【００６４】
ステップＳ８３、Ｓ１０３およびＳ１２３において、加入者サービス情報の削除の対象となる移動機は、移動機の発信、着信、位置登録、電源の状態等を考慮して選択することができる。
【００６５】
例えば、加入者サービス情報の削除の対象となる移動機として、自交換機のエリアで最も長く発信および着信のいずれも行っていない移動機を選択することができる。
【００６６】
また、例えば、加入者サービス情報の削除の対象となる移動機として、デタッチ状態の移動機、すなわち、自交換機のエリアで一定期間発信、着信および位置登録のいずれも行っていない移動機、または電源が切られている状態の移動機を優先的に選択することができる。
【００６７】
この２番目の例について詳しく説明する。
【００６８】
図１３は、アタッチ（attach）状態およびデタッチ（detach）状態を説明するための図である。交換機は、位置登録を行った移動機について、その状態をアタッチ状態とする。そして、交換機は、タイマ＃２（mobile not reachable timer）を用いて、自交換機のエリアで一定期間発信、着信および位置登録のいずれも行っていない移動機を判定し、その移動機の状態をデタッチ状態とする。また、交換機は、移動機から電源が切られたことを示すデタッチ信号を受信した場合にも、その移動機の状態をデタッチ状態とする。デタッチ状態の移動機が発信、着信または位置登録を行った場合、交換機は、その移動機の状態をアタッチ状態とする。移動機は、タイマ＃１（periodic routing update timer）を用いて、周期的に（例えば３時間毎に）位置登録信号を交換機に送信して、位置登録要求を行う。なお、アタッチ状態およびデタッチ状態は、（デタッチ）フラグのオフおよびオンにより表すことができる。
【００６９】
図１４は、加入者サービス情報の削除の対象となる移動機の選択例を説明するための図である。図１４において、タイマ＃２の欄は、各移動機（加入者）が最後に発信、着信または位置登録を行った時点からの経過時間を表す。また、優先順位とは、各移動機が加入者サービス情報の削除の対象となる移動機として選択される優先順位である。図１４の例では、移動機ＡおよびＢの状態がアタッチ状態であり、移動機ＣおよびＤの状態がデタッチ状態であるので、移動機ＣおよびＤの方が移動機ＡおよびＢよりも高い優先順位を有する。同じ状態の移動機間では、経過時間が長い移動機が高い優先順位を有する。従って、移動機Ｄの方が移動機Ｃよりも高い優先順位を有し、移動機Ｂの方が移動機Ａよりも高い優先順位を有する。
【００７０】
加入者サービス情報の削除の対象となる移動機は、移動機の通信状態を考慮して選択することができる。加入者サービス情報を削除する際に、加入者サービス情報を削除された移動機が通信中の場合、その通信は無条件に切断されてしまうのが一般的である。そこで、加入者サービス情報の削除の対象となる移動機として、通信中でない移動機を選択するようにすることができる。すなわち、ある移動機の加入者サービス情報を削除の対象にしようとしたときに、その移動機が通信中の場合には、別の移動機の加入者サービス情報を削除の対象にすることができる。各移動機の通信状態の管理は、例えば、ＶＬＲ、または呼処理および加入者へのサービスに関する制御を行うサービス制御装置において、通信状態の管理テーブルを持つことにより行うことが考えられる。
【００７１】
図１５は、サービス制御装置が通信状態の管理を行う場合に、交換機がサービス制御装置に通信状態を問い合わせる例を示した図である。本実施形態においては、サービス制御装置は交換機ごとに設けられている。交換機１１１は、サービス制御装置１６１に各移動機の通信状態を問い合わせ、サービス制御装置１６１からその応答を受け取り、その応答を考慮して加入者サービス情報の削除の対象となる移動機を選択する。
【００７２】
図１６は、加入者サービス情報の削除の対象となる移動機の選択例を説明するための図である。図１６の例では、移動機ＡおよびＤの通信状態が非通信中であり、移動機ＢおよびＣの通信状態が通信中であるので、移動機ＡおよびＤの方が移動機ＢおよびＣよりも高い優先順位を有する。すなわち、移動機ＡおよびＤの一方が、加入者サービス情報の削除の対象となる移動機に選ばれる。
【００７３】
交換機は、加入者サービス情報を登録する際に、当該加入者サービス情報を、上書きの対象となり得る加入者サービス情報（ＶＬＲの収容数が最大収容数に達した場合に削除の対象となり得る加入者サービス情報）として、または上書きの対象となり得ない加入者サービス情報として登録し、上書きの対象となる加入者サービス情報を上書きの対象となり得る加入者サービス情報の中から選択するようにすることができる。例えば、通信をよく行う加入者の加入者サービス情報については、上書きの対象となり得ない加入者サービス情報として登録し、通信をあまり行わない加入者の加入者サービス情報については、上書きの対象となり得る加入者サービス情報として登録することが考えられる。
【００７４】
図１７は、ＶＬＲの加入者管理メモリに上書き可能エリアと上書き不可能エリアとを設けた例を示す図である。交換機１１１は、上書きの対象となり得る加入者サービス情報については上書き可能エリア１８１に登録し、上書きの対象となり得ない加入者サービス情報については上書き不可能エリア１８２に登録する。
【００７５】
（その他）
以上の説明では、移動機の加入者サービス情報を、移動機が以前在圏していた交換機から取得する場合について説明したが、最初の位置登録の場合はもちろん、最初の位置登録以外の場合にも、加入者サービス情報をＨＬＲから取得することができる。
【００７６】
図１８は、加入者サービス情報をＨＬＲから取得する場合における、図９に示した位置登録要求時の処理例に対応する処理例を示す図である。最大加入者数を受け付けたＶＬＲ１２１を持つ交換機１１１は、移動機１５０からの位置登録信号を受信すると（図１８のＳ１１１）、ＨＬＲ１４０に移動機１５０の加入者位置情報を登録し、ＨＬＲ１４０から移動機１５０の加入者サービス情報を受信する（Ｓ１１２）。そして、ＶＬＲ１２１に現在登録されている加入者サービス情報の１つを削除して、移動機１５０の加入者サービス情報をＶＬＲ１２１に登録する（Ｓ１１３）。このようにして、位置登録処理は正常に終了する（Ｓ１１４）。
【図面の簡単な説明】
【００７７】
【図１】従来の移動通信システムの構成例、および位置登録要求があった場合の処理例を示す図である。
【図２】本発明の第１実施形態における移動通信システムの構成例、および位置登録要求があった場合の処理例を示す図である。
【図３】交換機の構成例を示す図である。
【図４】本発明の第１実施形態における発信要求があった場合の処理例を示す図である。
【図５】本発明の第１実施形態における着信要求があった場合の処理例を示す図である。
【図６】本発明の第２実施形態における位置登録要求があった場合の処理例を示す図である。
【図７】本発明の第２実施形態における発信要求があった場合の処理例を示す図である。
【図８】本発明の第２実施形態における着信要求があった場合の処理例を示す図である。
【図９】本発明の第３実施形態における位置登録要求があった場合の処理例を示す図である。
【図１０】本発明の第３実施形態における位置登録要求があった場合の処理例を示す図である。
【図１１】本発明の第３実施形態における発信要求があった場合の処理例を示す図である。
【図１２】本発明の第３実施形態における着信要求があった場合の処理例を示す図である。
【図１３】アタッチ状態およびデタッチ状態を説明するための図である。
【図１４】加入者サービス情報の削除の対象となる移動機の選択例を説明するための図である。
【図１５】サービス制御装置が通信状態の管理を行う場合に、交換機がサービス制御装置に通信状態を問い合わせる例を示した図である。
【図１６】加入者サービス情報の削除の対象となる移動機の選択例を説明するための図である。
【図１７】ＶＬＲの加入者管理メモリに上書き可能エリアと上書き不可能エリアとを設けた例を示す図である。
【図１８】加入者サービス情報をＨＬＲから取得する場合における、図９に示した位置登録要求時の処理例に対応する処理例を示す図である。
【符号の説明】
【００７８】
１１、１２、１１１、１１２、１１３  交換機
２１、２２、１２１、１２２、１２３  ＶＬＲ
３１、３２、１３１、１３２  エリア
４０、１４０  ＨＬＲ
５０、１５０、１５１  移動機
１６１  サービス制御装置
１８０  加入者管理メモリ
１８１  上書き可能エリア
１８２  上書き不可能エリア
１９１  制御部
１９２  記憶部
１９３  通信部
【図１】
2006005966.tif 000003
【図２】
2006005966.tif 000004
【図３】
2006005966.tif 000005
【図４】
2006005966.tif 000006
【図５】
2006005966.tif 000007
【図６】
2006005966.tif 000008
【図７】
2006005966.tif 000009
【図８】
2006005966.tif 000010
【図９】
2006005966.tif 000011
【図１０】
2006005966.tif 000012
【図１１】
2006005966.tif 000013
【図１２】
2006005966.tif 000014
【図１３】
2006005966.tif 000015
【図１４】
2006005966.tif 000016
【図１５】
2006005966.tif 000017
【図１６】
2006005966.tif 000018
【図１７】
2006005966.tif 000019
【図１８】
2006005966.tif 000020